(57)【要約】      （修正有）【課題】簡単、スムーズに天板デスクを引き出すことができ、使用しないときには折り畳んで収納できる壁掛け簡便式折り畳みデスクを提供する。【解決手段】折り畳み可能な天板３と回動できる支え板２とこれらを収納出来て収納箱になっている壁掛け可動デスクにおいて、天板３を厚さ２０〜３０ｍｍ、横幅４００〜６５０ｍｍで、縦幅３５０〜４５０ｍｍにして、収納箱の幅１３０〜１７０ｍｍ、横４５０〜７００ｍｍ、縦４００〜４７０ｍｍの箱状であり、天板３は、収納箱の上部に上下回動できるように、しかも天板３の緩和的作動できるように横板の一か所に駆動金具を緩和駆動できるように取り付け、さらに裏板は壁に取り付ける固定版板を設置して、天板３の上下によってデスクとして、また収納箱の蓋として使用できる壁掛け簡便式折り畳みデスク１である。【選択図】図１
0003223298.tif 000002
【実用新案登録請求の範囲】
【請求項１】
折り畳み可能な天板と回動できる支え板とこれらを収納出来て収納箱になっている壁掛け可動デスクにおいて、前記天板を厚さ２０〜３０ｍｍ、横幅４００〜６５０ｍｍで、縦幅３５０〜４５０ｍｍにして、収納箱の幅１３０〜１７０ｍｍ、横４００〜７００ｍｍ、縦３５０〜４７０ｍｍの箱状であり、天板は、収納箱の上部に上下回動できるように、しかも天板の緩和的作動できるように横板の一か所に駆動金具を緩和駆動できるように取り付け、さらに裏板は壁に取り付ける固定版板を設置して、天板の上下によってデスクとして、また収納箱の蓋として使用できることを特徴とする壁掛け簡便式折り畳みデスク。
【請求項２】
前記天板は、厚さ２０〜３０ｍｍの無垢板、ＭＤＦ，合板、フラッシュボード、パチクルボードから選ばれた材料であって、重量として１０ｋｇ以下にして、横幅４００〜６５０ｍｍで、縦幅３５０〜４５０ｍｍにして、前記天板を上に揚げて支え板を直角にして支えて、簡易デスクとして使用できるようになっていることを特徴とする請求項１に記載の壁掛け簡便式折り畳みデスク。
【請求項３】
前記支え板は、厚さ２０〜３０ｍｍ、一辺の幅２５０〜３５０ｍｍの直角三角形状の無垢板、ＭＤＦ，合板、フラッシュボード、パチクルボードから選ばれた平板の化粧材料であって、収納箱の内側に丁番で取り付けて、前側に０〜９０°の角度に回動させて、天板を直角に支えていることを特徴とする請求項１に記載の壁掛け簡便式折り畳みデスク。
【請求項４】
前記収納箱は、奥行き１３０〜１７０ｍｍ、横４００〜７００ｍｍ、縦３５０〜４７０ｍｍの箱状であり、裏板の内面には、横幅の中心部に縦方向に支え板を丁番によって取り付け、上部に幅７０ｍｍの上横板と下部に同様の下横板を張って、上横板の端部に天板を丁番によって取り付けており、裏板の外面には、壁面に取り付けるために、ビス止め、及びマグネット止めできるようになっていることを特徴とする請求項１に記載の壁掛け簡便式折り畳みデスク。
【考案の詳細な説明】
【技術分野】
【０００１】本考案は、室内の壁面を持つ部屋に、壁面の希望する位置に固定できるようにした勉学用、事務用、作業用デスクを取り付け、収納できる壁掛け簡便式折り畳みデスクに関する。
【背景技術】
【０００２】広面板によって形成される箱型収納部と、一側縁に折畳み自在に枢支される可動広面板と、可動広面板を水平に支持できるフラット天面を折畳んだ状態にさせる格納位置との間で回動する回転できるキャスター付支持脚とを備えるとともに、前記収納部の内部を棚状にして、下面と支持脚の下端部にキャスターを取付け移動可能に形成した折り畳みデスクであって、前記支持脚は前記収納部の可動広面板に回動自在に挾着され、この挾着が外れない程度に上下方向にスライド可能に遊嵌されている折り畳みデスクが提案されている（特許文献１参照）。【０００３】また収納部の天板の一側縁に可動板を開閉自在に取り付け、この可動板を水平状態に支持する支持脚を拡開、格納自在に設けた折り畳みデスクにおいて、使用が簡単で、優れて、さらに移動、収納において可動広面板の開きが起こらない収納形態を得るロック付固定折り畳みデスクを提供されている（特許文献２参照）。【０００４】収納部の天板を一側縁に開閉自在に取り付け、会合時の使用が簡単にできて、さらに移動、収納が容易にできる簡便式折り畳みミーティングデスクで、簡便式折り畳みミーティングデスクは、折り畳み天板と回動できる支え板２とこれらを固定出来て筆記可能な白板を付けた収納棚になっている固定設置台とからなっている。天板を厚さ２０〜３０ｍｍ、奥行き４００〜６５０ｍｍで、横幅３５０〜４５０ｍｍにして、固定設置台の高さ４００〜７００ｍｍの位置に蝶番にて作動的に設置して、固定設置台の蝶番で取り付けた支え板を回動させて、デスク用の天板を持着させているものが提案している（特許文献３参照）。【０００５】回動可能とした脚により天板を支持する構造の折り畳み机において、乗せ置かれる天板を適正に支持する位置まで脚を引き出しても、天板が乗せ置かれるまでは床面に接触しないようにし、この折り畳み机を設置した床面に、脚の回動による擦り傷を生じさせないものが提案されている（特許文献４参照）。【０００６】壁掛け折り畳みデスクは、保管において、可動天板が簡単に開いて、破損したし、傷をついたりする。収納箱の可動天板デスクを固着できるようにして、また使用せずに収納時に、壁に取り付けた収納箱から取り出して可動広面デスク板を使用して、勉学、あるいは作業などを簡単に実施でき、終了後には収納箱に収納しておくことが可能なものは存在していない。
【先行技術文献】
【特許文献】
【０００７】
【特許文献１】実用新案登録第３１７８６７２号公報
【特許文献２】実用新案登録第３１８７６６６号公報
【特許文献３】実用新案登録第３２１７８４１号公報
【特許文献４】特開２００９−１９５３９９号公報
【考案の概要】
【考案が解決しようとする課題】
【０００９】狭い家庭、或いは込み入った企業内にデスク上で勉学、作業する場合に、簡単にデスク用天板を取り出して勉学、作業で使用して、終了後に壁掛けの収納容器に収納できるようになっており、また人、場所によって容易に設置位置を変更できるようになっており、勉学、作業を容易にできるようになっている天板デスクが望まれている。緊急な勉学、作業で適切な環境を簡単に切り替えることが望まれている。【００１０】少数の人数のミーティングによってホワイトボードと立席、着座位置で会合する必要が生じる場合もあって、このような状況にも簡単に少人数でも非公式なミーティングが可能で、不要な時には折り畳んで収納できる折り畳み会合できるデスクが好まれるものであった。【００１１】本考案は、簡単にスムーズに天板デスクを引き出して、使用しないときにはデスクの天板を折り畳んで収納できる簡便式折り畳みデスクであって、狭い場所、あるいは事務所の部屋内で簡便に勉学、作業用デスクとして、また同時に折り畳み式デスク付き収納箱をとして、勉学用デスクとなる。使用しない場合には、折り畳み式棚収納容器としてかたずけておき、容易な取り出しデスクが要望されている。【００１２】また台所、リビング、事務所で家族、子供、社員などが勉学、作業を行う場合には、平板のデスクが利用できると便利である。これらの簡便式折り畳みデスクは、家庭内のデスクを箱容器内に収納して、また簡易折り畳みデスクとして使用できるものであることで、収納棚として、簡単に利用できることが期待されている。特に箱型収納箱の天板に回動広面の天板を折り畳んでおいて、勉学、作業などの使用時に開いて使用できるようにしているデスクが要請されている。
【課題を解決するための手段】
【００１３】折り畳み可能な天板と回動できる支え板とこれらを収納出来て収納箱になっている壁掛け可動デスクにおいて、前記天板を厚さ２０〜３０ｍｍ、横幅４００〜６５０ｍｍで、縦幅３５０〜４５０ｍｍにして、収納箱の幅１３０〜１７０ｍｍ、横４００〜７００ｍｍ、縦３５０〜４７０ｍｍの箱状であり、天板は、収納箱の上部に上下回動できるように、しかも天板の緩和的作動できるように横板の一か所に駆動金具を緩和駆動できるように取り付け、さらに裏板は壁に取り付ける固定版板を設置して、天板の上下によってデスクとして、また収納箱の蓋として使用できる壁掛け簡便式折り畳みデスクである。【００１４】前記天板は、厚さ２０〜３０ｍｍの無垢板、ＭＤＦ，合板、フラッシュボード、パチクルボードから選ばれた材料であって、重量として１０ｋｇ以下にして、横幅４００〜６５０ｍｍで、縦幅３５０〜４５０ｍｍにして、前記天板を上に揚げて支え板を直角にして支えて、簡易デスクとして使用できるようになっている。【００１５】前記支え板は、厚さ２０〜３０ｍｍ、一辺の幅２５０〜３５０ｍｍの直角三角形状の無垢板、ＭＤＦ，合板、フラッシュボード、パチクルボードから選ばれた平板の化粧材料であって、収納箱の内側に丁番で取り付けて、前側に０〜９０°の角度に回動させて、天板を直角に支えている。【００１６】前記収納箱は、奥行き１３０〜１７０ｍｍ、横４００〜７００ｍｍ、縦３５０〜４７０ｍｍの箱状であり、裏板の内面には、横幅の中心部に縦方向に支え板を丁番によって取り付け、上部に幅７０ｍｍの上横板と下部に同様の下横板を張って、上横板の端部に天板を丁番によって取り付けており、裏板の外面には、壁面に取り付けるために、ビス止め、及びマグネット止めできるようになっている。
【考案の効果】
【００１７】本考案は、収納容器に天板デスクを収納できる収納箱内に天板デスクと支え板の間に折り畳みの状態で回動自在に蝶着するようにしているので、勉学、作業する場合に使用できで、使用しないときには天板を折畳んだ状態でコンパクトに収納できる簡便式折り畳みデスクとして活用できて、収納箱は、壁面に取り付けて、さらに固定されており、収納箱内にデスク天板と支え板に収納されており、スムーズにデスクを取り出して収納も容易である。【００１８】また、狭い家庭内で壁のある場所で、簡単にデスクとして使用できて、天板が支え板に支持される、天板に取り付けられて、天板上に格納できる状態になっており、狭い部屋で勉学グデスクとして使用する場合には収納箱に自由に収納ができるようになっている。そのために使用が便利で、要望時期に何時でも勉学できる。
【図面の簡単な説明】
【００２１】
【図１】壁掛け簡便式折り畳みデスクの斜視図
【図２】壁掛け簡便式折り畳みデスクの構造での状態図  Ａ：平面図（上面）  Ｂ：背面図（壁面取り付け）  Ｃ：正面図（使用に状態時）  Ｄ：側面図  Ｅ：正面図（天板収納時）
【図３】壁掛け簡便式折り畳みデスクの壁面への取り付けた側面状態図
【図４】壁掛け簡便式折り畳みデスクを壁に掛けて使用している状態図
【考案を実施するための形態】
【００２２】本考案によれば、天板デスクを支え板に支持して、収納棚の天板の間に挾着されて、拡開位置から格納位置までの範囲で回動自在となる。図１は、壁掛け簡便式折り畳みデスクの斜視図、図２は、折り畳み式デスクでのデスクの取り出しの斜視図を示した。
【実施例１】
【００２３】図１に示すように、折り畳み可能な天板と回動できる支え板とこれらを収納出来て収納箱になっている壁掛け可動デスクにおいて、前記天板を厚さ２５ｍｍ、横幅５００ｍｍで、縦幅４００ｍｍにして、収納箱の幅１５０ｍｍ、横５２０ｍｍ、縦４５０ｍｍの箱状であり、天板は、収納箱の上部に上下回動できるように、しかも天板の緩和的作動できるように横板の一か所に駆動金具を緩和駆動できるように取り付け、さらに図２Ｂに示すように裏板は壁に取り付ける固定版板を設置して、天板の上下によってデスクとして、また収納箱の蓋として使用できる壁掛け簡便式折り畳みデスクであった。【００２４】前記天板は、厚さ２５ｍｍの無垢板のパイン材料であって、重量として８ｋｇにして、横幅５００ｍｍで、縦幅４００ｍｍにして、前記天板を上に揚げて支え板を直角にして支えて、簡易デスクとして使用できるようにした。【００２５】前記支え板は、厚さ２５ｍｍ、一辺の幅３００ｍｍの直角三角形状の無垢板の平板の化粧材料であって、収納箱の内側に丁番で取り付けて、前側に０〜９０°の角度に回動させて、天板を直角に支えた。【００２６】前記収納箱は、奥行き１５０ｍｍ、横５２０ｍｍ、縦４５０ｍｍの箱状であり、裏板の内面には、横幅の中心部に縦方向に支え板を丁番によって取り付け、上部に幅７０ｍｍの上横板と下部に同様の下横板を張って、上横板の端部に天板を丁番によって取り付けており、図３，４に示すように裏板の外面には、壁面に取り付けるために、ビス止めできるようにした。
【実施例２】
【００２７】図１に示すように、折り畳み可能な天板と回動できる支え板とこれらを収納出来て収納箱になっている壁掛け可動デスクにおいて、前記天板を厚さ２０ｍｍ、横幅４００ｍｍで、縦幅３５０ｍｍにして、収納箱の幅１５０ｍｍ、横４２０ｍｍ、縦３８０ｍｍの箱状であり、天板は、収納箱の上部に上下回動できるように、しかも天板の緩和的作動できるように横板の一か所に駆動金具を緩和駆動できるように取り付け、さらに裏板は壁に取り付ける固定版板を設置して、天板の上下によってデスクとして、また収納箱の蓋として使用できる壁掛け簡便式折り畳みデスクであった。【００２８】前記天板は、厚さ２０ｍｍの無垢板材料であって、重量として１０ｋｇ以下にして、横幅４００ｍｍで、縦幅３５０ｍｍにして、前記天板を上に揚げて支え板を直角にして支えて、簡易デスクとして使用できるようにした。【００２９】前記支え板は、厚さ２０ｍｍ、一辺の幅２５０ｍｍの直角三角形状の無垢板、ＭＤＦ平板の化粧材料であって、収納箱の内側に丁番で取り付けて、前側に０〜９０°の角度に回動させて、天板を直角に支えた。【００３０】前記収納箱は、奥行き１３０ｍｍ、横４２０ｍｍ、縦４００ｍｍの箱状であり、裏板の内面には、横幅の中心部に縦方向に支え板を丁番によって取り付け、上部に幅７０ｍｍの上横板と下部に同様の下横板を張って、上横板の端部に天板を丁番によって取り付けており、裏板の外面には、壁面に取り付けるために、マグネット止めできるようにした。
【符号の説明】
【００３１】１．壁掛け簡便式折り畳みデスク
２．支え板
３．天板デスク
４．収納箱
５．緩和金具
６．ビス
７．蝶番
８．マグネット
９．表面
１０．側板
１１．裏板
１２．壁
１３．窓
【図１】
0003223298.tif 000003
【図２】
0003223298.tif 000004
【図３】
0003223298.tif 000005
【図４】
0003223298.tif 000006
【手続補正書】
【提出日】令和1年7月16日(2019.7.16)
【手続補正１】
【補正対象書類名】実用新案登録請求の範囲
【補正対象項目名】全文
【補正方法】変更
【補正の内容】
【実用新案登録請求の範囲】
【請求項１】
折り畳み可能な天板と回動できる支え板とこれらを収納出来て収納箱になっている壁掛け可動デスクにおいて、前記天板を厚さ２０〜３０ｍｍ、横幅４００〜６５０ｍｍで、縦幅３５０〜４５０ｍｍにして、収納箱の奥行幅１３０〜１７０ｍｍ、横４５０〜７００ｍｍ、縦４００〜４７０ｍｍの箱状であり、天板は、収納箱の上部に上下回動できるように、しかも天板の緩和的作動できるように横板の一か所に駆動金具を緩和駆動できるように取り付け、さらに裏板は壁に取り付ける固定版板を設置して、天板の上下によってデスクとして、また収納箱の蓋として使用できることを特徴とする壁掛け簡便式折り畳みデスク。
【請求項２】
前記天板は、厚さ２０〜３０ｍｍの無垢板、ＭＤＦ，合板、フラッシュボード、パチクルボードから選ばれた材料であって、重量として１０ｋｇ以下にして、横幅４５０〜６５０ｍｍで、縦幅４００〜４５０ｍｍにして、前記天板を上に揚げて支え板を直角にして支えて、簡易デスクとして使用できるようになっていることを特徴とする請求項１に記載の壁掛け簡便式折り畳みデスク。
【請求項３】
前記支え板は、厚さ２０〜３０ｍｍ、一辺の幅２５０〜３５０ｍｍの直角三角形状の無垢板、ＭＤＦ，合板、フラッシュボード、パチクルボードから選ばれた平板の化粧材料であって、収納箱の内側に丁番で取り付けて、前側に０〜９０°の角度に回動させて、天板を直角に支えていることを特徴とする請求項１に記載の壁掛け簡便式折り畳みデスク。
【請求項４】
前記収納箱は、奥行幅１３０〜１７０ｍｍ、横４５０〜７００ｍｍ、縦４００〜４７０ｍｍの箱状であり、裏板の内面には、横幅の中心部に縦方向に支え板を丁番によって取り付け、上部に幅７０ｍｍの上横板と下部に同様の下横板を張って、上横板の端部に天板を丁番によって取り付けており、裏板の外面には、壁面に取り付けるために、ビス止め、及びマグネット止めできるようになっていることを特徴とする請求項１に記載の壁掛け簡便式折り畳みデスク。